(57)【特許請求の範囲】
【請求項１】
大きさ又は寸法が区々の石材を、大きさ又は寸法が大きい大寸法石材と、該大寸法石材に比べて大きさ又は寸法が小さい小寸法石材とに分別する石材分別装置であって、
平面視で長方形に形成され、該長方形の第１の長辺及び第２の長辺に対応する縁部にそれぞれ第１側壁及び第２側壁を有する底板と、
それぞれ、平面視で略Ｌ字形又は略「く」の字形をなすように結合された第１プレート及び第２プレートを有し、前記第１プレートに予め設定された高さ及び幅をもつ矩形又は正方形の窓部が形成されている複数の石材分別部材とを備えていて、
前記複数の石材分別部材は、それぞれ、前記第１プレートの外面が底板長手方向に関して前記底板の第１端部に対向する一方前記第２プレートの外面が底板長手方向に関して前記底板の第２端部に対向し、かつ前記複数の石材分別部材の前記第１プレートが平面視で底板長手方向に対して傾斜しつつ前記第１側壁側から前記第２側壁側に直線状に並ぶような態様で前記底板に取り付けられ、
前記石材分別部材は、それぞれ、前記底板に形成された平面視で略Ｌ字形又は略「く」の字形の溝部に嵌め込むことにより、前記底板に対して着脱自在に取り付けられ、
前記底板に、
前記複数の石材分別部材のうちの前記第２側壁に最も近い石材分別部材に隣接した位置から前記第２端部に伸び、前記第１側壁との間に小寸法石材を排出する第１排出通路を形成する第１仕切壁と、
前記複数の石材分別部材のうちの前記第２側壁に最も近い石材分別部材に隣接した位置から前記第２端部に伸び、前記第２側壁との間に大寸法石材を排出する第２排出通路を形成する第２仕切壁とが設けられていることを特徴とする石材分別装置。
【請求項２】
前記底板に、底板長手方向に対して傾斜しつつ前記第２側壁から前記第１側壁側に伸び、該石材分別装置に供給された石材が前記石材分別部材に衝突することなく前記第２排出通路に入るのを防止する邪魔板が設けられていることを特徴とする、請求項１に記載の石材分別装置。
【請求項３】
前記第１端部近傍において前記底板に水を散布する水散布器を備えていることを特徴とする、請求項１又は２に記載の石材分別装置。
【請求項４】
請求項１又は２に記載の石材分別装置を用いて石材を分別する石材分別方法であって、
前記石材分別装置を、前記第１端部が上側に位置し前記第２端部が下側に位置し、前記底板の前記石材分別部材が取り付けられた側の広がり面が上方を向き、前記底板の水平方向に対する傾斜角度が３０〜４５°となるように配置し、
前記第１端部側から前記石材分別装置に石材を供給し、前記第１排出通路から小寸法石材を排出する一方、前記第２排出通路から大寸法石材を排出して、石材を小寸法石材と大寸法石材とに分別することを特徴とする石材分別方法。
【請求項５】
請求項３に記載の石材分別装置を用いて石材を分別する石材分別方法であって、
前記石材分別装置を、前記第１端部が上側に位置し前記第２端部が下側に位置し、前記底板の前記石材分別部材が取り付けられた側の広がり面が上方を向き、前記底板の水平方向に対する傾斜角度が３０〜４５°となるように配置し、
前記水散布器から前記底板に水を散布しつつ、前記第１端部側から前記石材分別装置に石材を供給し、前記第１排出通路から小寸法石材を排出する一方、前記第２排出通路から大寸法石材を排出して、石材を大寸法石材と小寸法石材とに分別することを特徴とする石材分別方法。
【発明の詳細な説明】
【技術分野】
【０００１】
本発明は、大きさ又は寸法が区々の石材を、大きさ又は寸法が大きい大寸法石材と、大寸法石材に比べて大きさ又は寸法が小さい小寸法石材とに分別する石材分別装置と、該石材分別装置を用いた石材分別方法とに関するものである。
【背景技術】
【０００２】
近年、周囲の自然環境と調和する良好な景観を呈することから、傾斜面が自然石又は砕石で覆われた石積み擁壁又は石積み護岸が普及しつつある。このような石積み擁壁又は石積み護岸を構築する場合、大きさ又は寸法がおおむね揃った多数の石材を必要とする。そして、このような石材としては、例えば河原で採取された自然石や、採石場で採掘された岩石を砕石機等で破砕することにより生成された砕石などが用いられる。しかしながら、このようにして得られる自然石又は砕石は、大きさ又は寸法が区々であり、そのままの状態では、石積み擁壁又は石積み護岸の構築に用いるのに不便である。
【０００３】
そこで、例えば図７（ａ）、（ｂ）に示すような、大きさ又は寸法が区々の石材を、その大きさ又は寸法が大きい比較的大寸法石材と、この大寸法石材に比べて大きさ又は寸法が小さい小寸法石材とに分別する石材分別装置が提案されている（特許文献１参照）。図７（ａ）、（ｂ）に示すように、この従来の石材分別装置１００（岩石分別装置）においては、複数（８本）のフレーム等で構成される支持構造物１０１に、所定の間隔で互いに平行となるようにして上下方向に傾斜して配置された複数の棒状部材１０２からなるふるい面１０３が取り付けられている。
【０００４】
そして、ふるい面１０３の上端部近傍に大きさ又は寸法が区々の石材１０４を投下すれば、これらの石材１０４がふるい面１０３を転がり落ちる間に、大きさ又は寸法が小さい小寸法石材１０４ａはふるい面１０３から落下する一方、大きさ又は寸法が大きい大寸法石材１０４ｂは石分別装置１００の前方に排出される。かくして、大きさ又は寸法が区々の石１０４は、小寸法石材１０４ａと大寸法石材１０４ｂとに分別される。そして、棒状部材１０２の間隔が異なる複数の石材分別装置１００を用いて、又は１つの石材分別装置１００で棒状部材１０２の間隔を変更して複数種の分別操作を行えば、所望の大きさ又は寸法の範囲内の石材を得ることができる。
【先行技術文献】
【特許文献】
【０００５】
【特許文献１】特開２０００−３３４３８３号公報
【発明の概要】
【発明が解決しようとする課題】
【０００６】
例えば図７（ａ）、（ｂ）に示す従来の石材分別装置は、複数（８本）のフレーム等で構成される立体的な支持構造物１０１に複数の棒状部材１０２（ふるい面１０３）が取り付けられてなる、立体的にかさばる構造のものであり、そのままの状態では、例えばトラック等を用いて輸送するのが困難である。そこで、この石材分別装置１００は、トラック等を用いて輸送する際には、これを解体ないしは分解するようにしているが、その解体及び新たな使用場所での組み立てに手間がかかるといった問題がある。また、１つの石材分別装置１００において大寸法石材と小寸法石材の分別の基準寸法を変更する場合、棒状部材１０２の間隔を変更するのが容易ではないといった問題もある。
【０００７】
本発明は、上記従来の問題を解決するためになされたものであって、トラック等を用いての輸送が容易であり、かつ大寸法石材と小寸法石材の分別の基準寸法を容易に変更することができる簡素でコンパクトな石材分別装置及び該石材分別装置を用いた石材分別方法を提供することを解決すべき課題とする。
【課題を解決するための手段】
【０００８】
前記課題を解決するためになされた本発明に係る、大きさ又は寸法が区々の石材を、大きさ又は寸法が大きい大寸法石材と、該大寸法石材に比べて大きさ又は寸法が小さい小寸法石材とに分別（ないしは分離）する石材分別装置は、底板と、複数の石材分別部材とを備えている。ここで、底板は、平面視で長方形に形成され、該長方形の第１の長辺及び第２の長辺に対応する縁部にそれぞれ第１側壁及び第２側壁を有している。複数の石材分別部材は、それぞれ、平面視で略Ｌ字形又は略「く」の字形をなすように結合された第１プレート及び第２プレートを有し、第１プレートに、予め設定された高さ及び幅（ないしは寸法）をもつ矩形又は正方形の窓部（中空部）が形成されている。
【０００９】
この石材分別装置において、複数の石材分別部材は、それぞれ、第１プレートの外面（背面）が底板長手方向に関して底板の第１端部に対向する一方第２プレートの外面が底板長手方向に関して底板の第２端部に対向し、かつ複数の石材分別部材の第１プレートが平面視で底板長手方向に対して傾斜しつつ第１側壁側から第２側壁側に直線状に並ぶような態様で底板に取り付けられている。また、石材分別部材は、それぞれ、底板に形成された平面視で略Ｌ字形又は略「く」の字形の溝部に嵌め込むことにより、底板に対して着脱自在に取り付けられている。
【００１０】
この石材分別装置においては、底板に、第１仕切壁と第２仕切壁とが設けられている。ここで、第１仕切壁は、複数の石材分別部材のうちの第２側壁に最も近い（すなわち、第２端部に最も近い）石材分別部材に隣接した位置から底板の第２端部に伸び、第１側壁との間に小寸法石材を排出するための第１排出通路を形成する。他方、第２仕切壁は、複数の石材分別部材のうちの第２側壁に最も近い（すなわち、第２端部に最も近い）石材分別部材に隣接した位置から底板の第２端部に伸び、第２側壁との間に大寸法石材を排出するための第２排出通路を形成する。
【００１１】
本発明に係る石材分別装置においては、底板に、底板長手方向に対して傾斜しつつ第２側壁から第１側壁側に伸び、該石材分別装置に供給された石材が石材分別部材と係合（衝突）することなく第２排出通路に入るのを防止する邪魔板を設けるのが好ましい。また、第１端部近傍において底板に水を散布する水散布器を設けるのが好ましい。
【００１２】
本発明に係る石材分別方法は、本発明に係る石材分別装置を用いて、およそ下記のような手順で石材を大寸法石材と小寸法石材とに分別（ないしは分離）する。
（１）  石材分別装置を、第１端部が上側に位置し第２端部が下側に位置し、底板の石材分別部材が取り付けられた側の広がり面が上方を向き、底板の水平方向に対する傾斜角度が３０〜４５°となるように配置する。
（２）  第１端部側から石材分別装置に石材を供給し、第１排出通路から小寸法石材を排出する一方、第２排出通路から大寸法石材を排出して、石材を大寸法石材と小寸法石材とに分別する。なお、石材分別装置が水散布器を備えている場合は、水散布器から底板に水を散布しつつ、第１端部側から石材分別装置に石材を供給するのが好ましい。
【発明の効果】
【００１３】
本発明に係る石材分別装置は、２つの側壁と第１仕切壁と第２仕切壁とを備えた底板と、この底板に形成された複数の溝部に着脱自在に嵌入される複数の石材分別部材とで構成される簡素な構造のものであり、石材分別部材を取り外せばおおむね扁平な箱状となるコンパクトなものである。したがって、トラック等を用いて石材分別装置を容易に設置場所に輸送することができる。また、この石材分別装置を、第１端部が上側に位置し第２端部が下側に位置し、底板の石材分別部材が取り付けられた側の広がり面が上方を向き、底板の水平方向に対する傾斜角度が３０〜４５°となるように配置した上で、第１端部側から石材分別装置に寸法が区々の石材を供給すれば、第１排出通路から小寸法石材が排出され、第２排出通路から大寸法石材が排出され、石材が小寸法石材と大寸法石材とに分別される。
【００１４】
この石材分別装置では、各石材分別部材は底板に対して着脱自在であるので、第１プレートの窓部の高さないしは寸法が異なる複数種の石材分別部材を予め準備しておき、分別すべき石材の分別基準寸法に応じてこれらの複数種の石材分別部材を適宜に交換して、繰り返し分別操作を行うことにより、所望の大きさ又は寸法の範囲の石材を得ることができる。
【図面の簡単な説明】
【００１５】
【図１】石積み擁壁の側面断面図である。
【図２】本発明に係る石材分別装置の平面図である。
【図３】石材を分別するために水平方向に対して傾斜して配置された石材分別装置の底板の上に配置された一連の石材分別部材の一部を第１側壁側（右側）からみた一部断面側面図であり、該側面図中に示された各石材分別部材の上側にその平面形状（平面図）を併せて表示している。
【図４】石材を分別するために水平方向に対して傾斜して配置された石材分別装置の底板の上に配置された一連の石材分別部材の一部を第２側壁側（左側）からみた一部断面側面図であり、該側面図中に示された各石材分別部材の上側にその平面形状（平面図）を併せて表示している。
【図５】（ａ）は石材分別部材の斜視図であり、（ｂ）は石材分別装置の底板に形成された略Ｌ字形の溝部の斜視図であり、（ｃ）は溝部に嵌入された石材分別部材の斜視図である。
【図６】石材を分別すべき場所に配置された石材分別装置の側面図である。
【図７】（ａ）は従来の石材分別装置の斜視図であり、（ｂ）は（ａ）に示す石材分別装置の石材分別時における側面図である。
【発明を実施するための形態】
【００１６】
以下、添付の図面を参照しつつ、本発明の実施形態を具体的に説明する。
図１に示すように、石積み擁壁１は、地面２に埋設された基礎コンクリート３の上に積み上げられた多数の石材４で構成される石積み５と、石積み５の裏側（後側）に配設された裏込めコンクリート６と、裏込めコンクリート６の裏側（後側）に配設された裏込め礫７とで構成されている。このような石積み擁壁１を構築するときには、石積み５を構成する大きさ又は寸法がおおむね揃った、すなわち大きさ又は寸法が所定の範囲内の多数の石材４が、例えばトラック等の輸送手段を用いて石積み擁壁１の構築現場に輸送される。なお、石積み護岸を構築する場合も、石積み擁壁１を構築する場合と同様に、構築現場に多数の石材４が輸送される。
【００１７】
そして、このような大きさ又は寸法がおおむね揃った多数の石材４は、例えば、河原や渓谷などで採取された自然石、あるいは採石場で採掘された岩石を砕石機等で破砕することにより生成され必要に応じて角部が丸められた砕石を、石材分別装置により分別することにより生成される。以下、このような自然石又は砕石を分別するための本発明に係る石材分別装置の構成及び機能を具体的に説明する。
【００１８】
図２〜図４に示すように、大きさ又は寸法が区々の石材を、大きさ又は寸法が大きい大寸法石材と、該大寸法石材に比べて大きさ又は寸法が小さい小寸法石材とに分別（ないしは分離）するための本発明に係る石材分別装置１０は、その本体部をなす底板１１（基板）と、複数（図２に示す例では７つ）の石材分別部材１２とを備えている。なお、石材分別部材１２の数は、７つに限られる訳ではなく、これより多くてもよく（例えば、８〜１２）、また少なくてもよい（例えば、４〜６）のはもちろんである。
【００１９】
ここで、底板１１は、平面視では、第１及び第２の短辺１３、１４と、第１及び第２の長辺１５、１６とで画成される長方形の形状をもつように形成されている。なお、以下では、石材分別装置１０を構成する各構成要素の位置関係を簡明に示すため、便宜上、底板長手方向に関して、第１の短辺１３が位置する側を「上」といい、第２の短辺１４が位置する側を「下」ということにする。また、底板長手方向と垂直な方向に関して、第１の長辺１５が位置する側を「右」といい、第２の長辺１６が位置する側を「左」ということにする。
【００２０】
平面視で長方形の形状をもつ底板１１は、第１の長辺１５に対応する右側の縁部に第１側壁１７を有する一方、第２の長辺１６に対応する左側の縁部に第２側壁１８を有している。なお、第１の短辺１３に対応する第１端部１９（上端部）及び第２の短辺１４に対応する第２端部２０（下端部）には壁は設けられていない。第１側壁１７及び第２側壁１８は、石材分別装置１０の使用時に、底板１１の上に供給された石材が、第１端部１９側から第２端部２０側に転がり落ちる際に、底板１１から右側又は左側に脱落するのを防止するために設けられている。したがって、第１側壁１７及び第２側壁１８の高さは、第１端部１９側から第２端部２０側に転がり落ちる石材が乗り越えるのを防止することができるだけの高さであればよく、例えば供給される石材の最大寸法（例えば、３０〜４０ｃｍ）の４０〜６０％程度であればよい。
【００２１】
底板１１の平面視における形状ないしは寸法は、石材分別装置１０を輸送するトラック等の荷台に積載することができる範囲内で、石材の処理量に応じて適宜に設定すればよい。なお、石材分別装置１０の輸送手段として普通の大型トラックを用いる場合、底板１１を左右に傾斜させれば、左右方向の寸法が３．５〜４ｍ程度であり、上下方向の寸法が８〜１０ｍ程度の底板１１を荷台に積載することができる。
【００２２】
各石材分別部材１２は、底板１１に取り付けられた状態における平面視で略Ｌ字形ないしは略「く」の字形をなすように結合された第１プレート２２及び第２プレート２３を有している。なお、この実施形態では、第１プレート２２と第２プレート２３とが挟む角度αは９０°であるが、この角度αは９０°より大きくてもよい（例えば、９０°＜α≦１２０°）。そして、第１プレート２２には、開口部の形状が正方形である窓部２４（中空部）が形成されている。窓部２４の一辺の長さ、すなわち窓部２４の高さ及び幅は、分別すべき石材の分別基準値に応じて設定される。なお、窓部２４の開口部を矩形にしてもよく、この場合窓部２４の幅は、窓部２４の高さの１．０〜１．２倍程度に設定するのが好ましい。
【００２３】
そして、各石材分別部材１２は、第１プレート２２の外面（ないしは背面）が底板１１の第１端部１９（上端部）に斜めに対向する一方、第２プレート２３の外面（背面）が底板１１の第２端部に斜めに対向し、かつすべての石材分別部材１２の第１プレート２２が平面視で底板長手方向に対して所定の傾斜角（例えば、４５〜６０°）で傾斜しつつ第１側壁１７側（右側）から第２側壁１８側（左側）に向かって直線状に並ぶような態様で底板１１に取り付けられている。
【００２４】
図５（ａ）〜図５（ｃ）に示すように、各石材分別部材１２は、底板１１の広がり面に形成された、平面視で略Ｌ字形ないしは略「く」の字形の溝部２５に嵌め込むことにより、底板１１に対して着脱自在に取り付けられている。ここで、石材分別部材１２は、溝部２５に嵌め込まれたときに、窓部１４の底部２４ａが底板１１の広がり面１１ａから突出しないように、好ましくは広がり面１１ａと同一平面を形成するように形成されている。なお、石材分別装置１０には、窓部２４の高さが異なる複数種の石材分別部材１２が準備され、分別すべき石材の分別基準値に応じて取り換えることができるようになっている。
【００２５】
再び図２〜図４に示すように、底板１１には、第１仕切壁２７及び第２仕切壁２８が設けられている。第１仕切壁２７第２仕切壁２８の高さは、第１側壁１７及び第２側壁１８の高さと同一であるのが好ましい。第１仕切壁２７は、複数（７つ）の石材分別部材１２のうちの最も左側すなわち最も下側の石材分別部材１２ａの外側角部に隣接した位置から底板１１の第２端部２０までおおむね下向きに伸びている。より詳しくは、第１仕切壁２７は、前記外側角部に隣接した位置から右下方向へ斜めに伸びた後、第２端部２０まで下向きに伸びている。かくして、第１仕切壁２７と第１側壁１７との間には、小寸法石材を排出するためのすべり台状の第１排出通路３０が形成されている。
【００２６】
他方、第２仕切壁２８は、前記の最も左側の石材分別部材１２ａの外側角部に隣接した位置から若干左下方向へ斜めに伸びた後、第２端部２０まで下向きに伸びている。かくして、第２仕切壁２８と第２側壁１８との間には、大寸法石材を排出するためのすべり台状の第２排出通路３１が形成されている。なお、第１排出通路３０及び第２排出通路３１の左右の幅は、想定される最大寸法の石材が支障なく通ることができるように設定されるのはもちろんである。
【００２７】
底板１１には、第２側壁１８から右下方向に斜めに伸び、石材分別装置１０に供給された石材が石材分別部材１２と係合ないしは衝突することなく第２排出通路３１に入るのを防止するための邪魔板３２が設けられている。邪魔板３２の高さは、第１側壁１７及び第２側壁１８の高さと同一であるのが好ましい。また、邪魔板３２は、その先端部（すなわち下端部ないしは右端部）が、最も左側の石材分別部材１２ａよりも右側（好ましくは中央の石材分別部材１２の近傍）に位置し、かつ最も近い石材分別装置１２との間に想定される最大寸法の石材が支障なく通り抜けることができる間隔を有する形状に形成されている。なお、底板１１には、第１側壁１７と最も右側すなわち最も上側の石材分別部材１２ｂとの間の間隙を閉じる閉止板３３が設けられている。この閉止板３３の高さは、第１側壁１７及び第２側壁１８の高さと同一であるのが好ましい。
【００２８】
また、石材分別装置１０には、第１端部１９近傍において底板１１に水を散布する水散布器（図示せず）が設けられている。この水散布器は、石材と底板１１との間の摩擦を低減するとともに、石材に付着している土が周囲に飛散するのを防止するために設けられている。なお、必要がなければ水散布器は設けなくてもよい。
【００２９】
以下、本発明に係る石材分別装置１０を用いて、大きさ又は寸法が区々の石材を、大寸法石材と小寸法石材とに分別する手順ないしは方法を具体的に説明する。
（１）  石材分別部材の取り付け
まず、石材の分別を行うべき場所の近傍において、石材分別装置１０の底板１１を、石材分別部材１２を取り付ける側の広がり面（以下「底板上面」という。）が上向きとなるように、例えば地面の上に載置する。そして、底板１１の各溝部２５に、所定の寸法の窓部２４を備えた石材分別部材１２を嵌入する。これらの石材分別部材１２では、窓部２４の開口部は正方形であり、その一辺の寸法（以下「窓部寸法」という。）、すなわち窓部２４の高さないしは幅は、大寸法石材と小寸法石材とを分別する基準となる分別基準寸法に対応する。
【００３０】
（２）  石材分別装置の配置
図６に示すように、例えば適度な高低差（例えば、４〜８ｍ）のある低地４０と高地４１との間に形成された段差部４２などを利用して、石材分別部材１２を装着した石材分別装置１０を、第１端部１９が上側に位置し、第２端部２０が下側に位置し、底板上面が上向きとなり、底板１１の水平面Ｌに対する傾斜角度θが例えば３０〜４５°となるように配置する。その際、底板１１は、例えば支柱４３等を用いて、第２端部２０が低地４０より適度に高くなる（例えば、１〜１．５ｍ）ように配置するのが好ましい。このように配置すれば、第２端部２０の近傍において低地４０に石材がたまり、底板１１から低地４０への石材の排出が滞るのを防止することができる。
【００３１】
（３）  石材の供給及び分別
大きさ又は寸法が区々の石材を、適当な搬送手段（例えば、トラック、手押し車等）により高地４１に輸送し、これらの石材を適度な供給速度で第１端部１９側から底板上面に供給する。石積み擁壁あるいは石積み護岸等に用いられる自然石は、通常、最大直径Ｄmax（ないしは最大寸法）と最小直径Ｄmin（ないしは最小寸法）の比（Ｄmax／Ｄmin）が１．２〜１．８程度であり、角部がない丸みを帯びた形状をもつものである。なお、石積み擁壁あるいは石積み護岸等に用いられる砕石は、採掘された岩石を破砕機等により破砕して生成した後、例えば回転ドラム等を用いて砕石同士を激しく衝突させることにより角部が除去され又は丸められたものである。
【００３２】
このように供給された石材は、下向きに傾斜する底板上面を転がり落ちる。その際、底板１１の右寄りの部位に供給された石材は、一連の石材分別部材１２のうちの右寄りの部位に配置された石材分別部材１２の第１プレート２２に到達する。他方、底板１１の左寄りの部位に供給された石材は、邪魔板３２によって右方向に向かうように方向づけられ、一連の石材分別部材１２のうち中央部ないしは右寄りの部位に配置された石材分別部材１２の第１プレート１１に到達する。
【００３３】
いずれかの石材分別部材１２の第１プレート２２に到達した各石材のうち、最大直径（ないしは最大寸法）が第１プレート２２の窓部寸法（窓部２４の高さないしは幅）より小さい石材は、この窓部２４を通り抜け、第１排出通路３０を経由して低地４０に落下する。他方、最小直径（ないしは最小寸法）が第１プレート２２の窓部寸法より大きい石材は、窓部２４を通り抜けることができないので、この石材分別部材１２より左側に並ぶ一連の石材分別部材１２の第１プレート２２に沿って転がり落ち、第２排出通路３１を経由して低地４０に落下する。
【００３４】
また、最大直径が第１プレート２２の窓部寸法より大きく、最小直径が第１プレート２２の窓部寸法より小さい石材については、その一部（比較的小寸法の石材）は前記一連の石材分別部材１２の第１プレート２２に沿って転がり落ちる途中で、いずれかの石材分別部材１２の第１プレート２２の窓部２４を通り抜け、第１排出通路３０を経由して低地４０に落下する。その他の石材（比較的大寸法の石材）はいずれの窓部２４も通り抜けることなく、第２排出通路３１を経由して低地４０に落下する。
【００３５】
かくして、第１排出通路３０に対応する位置において低地４０に、最大直径（ないしは最大寸法）が第１プレート２２の窓部寸法より小さい石材と、最大直径（ないしは最大寸法）が第１プレート２２の窓部寸法より大きく最小直径（ないしは最小寸法）が第１プレート２２の窓部寸法より小さい石材のうち比較的小寸法の石材とからなる小寸法石材が落下する。他方、第２排出通路３１に対応する位置において低地４０に、最小直径が第１プレート２２の窓部寸法より大きい石材と、最大直径が第１プレート２２の窓部寸法より大きく最小直径が第１プレート２２の窓部寸法より小さい石材のうち比較的大寸法の石材とからなる大寸法石材が落下する。すなわち、大きさ又は寸法が区々の石材が、大寸法石材と小寸法石材とに分別される。
【００３６】
このようにして得られた大寸法石材又は小寸法石材に対して、さらに窓部寸法が異なる種々の石材分別部材１２を用いて前記の分別操作を繰り返すことにより、所望の大きさ又は寸法の範囲の石材を得ることができる。つまり、大きさ又は寸法が区々の石材を、複数種の大きさ又は寸法が揃った石材に分別ないしは分離することができる。かくして、所望の大きさ又は寸法の範囲にある大きさ又は寸法が揃った石材は、トラック等の輸送手段を用いて種々の石積み擁壁あるいは石積み護岸の構築現場に輸送される。
【００３７】
前記のとおり、石材分別装置１０は、第１側壁１７と、第２側壁１８と、第１仕切壁２７、第２仕切壁２８と、邪魔板３２と、閉止板３３とを備えた底板１１と、この底板１１に形成された複数の溝部２５に着脱自在に嵌入される複数の石材分別部材１２とで構成される簡素な構造のものであり、石材分別部材１２を取り外せばおおむね扁平な箱状のコンパクトなものである。したがって、トラック等を用いて石材分別装置１０を容易に、所望の設置場所に輸送することができる。また、この石材分別装置１０では、石材分別部材１２は底板１１に対して着脱自在であるので、予め準備された第１プレート２２の窓部寸法が異なる複数種の石材分別部材１２を、分別すべき石材の分別基準寸法に応じて適宜に交換し、繰り返し分別操作を行うことにより、任意の大きさ又は寸法の範囲の石材を得ることができる。
【符号の説明】
【００３８】
Ｌ  水平面、１  石積み擁壁、２  地面、３  基礎コンクリート、４  石材、５  石積み、６  裏込めコンクリート、７  裏込め礫、１０  石材分別装置、１１  底板、１１ａ  底板の広がり面、１２  石材分別部材、１２ａ  石材分別部材、１２ｂ  石材分別部材、１３  第１の短辺、１４  第２の短辺、１５  第１の長辺、１６  第２の長辺、１７  第１側壁、１８  第２側壁、１９  第１端部（上端部）、２０  第２端部（下端部）、２２  第１プレート、２３  第２プレート、２４  窓部、２４ａ  窓部の底部、２５  溝部、３０  第１排出通路、３１  第２排出通路、３２  邪魔板、３３  閉止板、４０  低地、４１高地、４２  段差部、４３  支柱、１００  石材分別装置、１０１  支持構造物、１０２  棒状部材、１０３  ふるい面、１０４  石材、１０４ａ  小寸法石材、１０４ｂ  大寸法石材。
【要約】
【課題】輸送が容易であり、大寸法石材と小寸法石材の分別の基準寸法を容易に変更することができる簡素でコンパクトな石材分別装置を提供する。
【解決手段】石材分別装置１０は、平面視で長方形の底板１１と、底板１１の溝部に嵌め込まれた複数の石材分別部材１２とを備えている。底板１１は、その側部に第１側壁１７及び第２側壁１８を有する。複数の石材分別部材１２は、すべての石材分別部材１２の第１プレート２２が底板長手方向に対して４５〜６０°で傾斜しつつ第１側壁１７側から第２側壁１８側に向かって直線状に並ぶような態様で底板１１に取り付けられている。各石材分別部材１２は、平面視で略Ｌ字形をなすように結合された第１プレート２２及び第２プレート２３を有する。第１プレート２２には、開口部の形状が正方形である窓部２４が形成されている。
【選択図】図２【図１】
0005841690.tif 000002
【図２】
0005841690.tif 000003
【図３】
0005841690.tif 000004
【図４】
0005841690.tif 000005
【図５】
0005841690.tif 000006
【図６】
0005841690.tif 000007
【図７】
0005841690.tif 000008